(57)【要約】【課題】  電子機器のキーを押すことなく、電子機器のキー入力の動作を自動的に行う。【解決手段】  携帯電話装置１０のキー部１０２を撮像するカメラ４と、カメラ５から撮像されたキーの像を表示する表示部５と、表示部５に表示されたキーのキーに対応する表示領域を設定する制御回路１と、前記領域のポインティングを検出する入力部６と、入力部６の検出した領域に対応するキーの情報を記憶するＲＡＭ３と、ＲＡＭ３に記憶されるキーの情報を携帯電話装置の外部キーボード用の端子１０３に出力して電子機器にキー入力動作を行わせる制御回路を備える。【選択図】        図１
2005222145.tif 000002
【特許請求の範囲】
【請求項１】
電子機器のキーの入力手順を記録する記録手段と、該記録手段により記録された入力手順を記憶する記憶手段と、該記憶手段に記憶される入力手段を電子機器の外部キーボード端子に出力して電子機器にキー入力動作を行わせる出力手段を備えたことを特徴とする自動キー入力動作装置。
【請求項２】
電子機器のキーを撮像するカメラと、該カメラの撮像キーを表示する表示手段と、該表示手段に表示されたキーに対応する表示領域を設定する領域設定手段と、前記領域のポインティングを検出するポインティング手段と、前記ポインティング手段が検出した領域に対応するキーの情報を記憶する記憶手段と、該記憶手段に記憶されるキーの情報を電子機器の外部キーボード端子に出力して電子機器にキー入力動作を行わせる出力手段を備えたことを特徴とする自動キー入力動作装置。
【請求項３】
キー入力動作に応じて画面表示が変化する電子機器のキーと画面表示を撮像するカメラと、該カメラが撮像した前記キー及び前記画面表示の像を表示する表示手段と、該表示手段に表示されたキーに対応する表示領域を設定する領域設定手段と、前記領域のポインティングを検出するポインティング手段と、前記ポインティング手段の検出した領域に対応するキーの情報を記憶する第１の記憶手段と、該第１の記憶手段に記憶されるキーの情報を電子機器の外部キーボード端子に出力して電子機器にキー入力動作を行わせる出力手段と、該出力手段によりキー入力動作が行われた基準の電子機器の画面表示の撮像を記憶する第２の記憶手段と、前記出力手段によりキー入力動作が行われた被検査の電子機器の画面表示の撮像と前記第２の記憶手段に記憶された基準の電子機器の画面表示とを前記表示手段に同時に表示させる制御手段を備えたことを特徴とする自動キー入力動作装置。
【請求項４】
キー入力動作に応じて画面表示が変化する電子機器のキーと画面表示を撮像するカメラと、該カメラが撮像した前記キー及び前記画面表示の像を表示する表示手段と、該表示手段に表示されたキーに対応する表示領域を設定する領域設定手段と、前記領域のポインティングを検出するポインティング手段と、前記ポインティング手段の検出した領域に対応するキーの情報を記憶する第１の記憶手段と、該第１の記憶手段に記憶されるキーの情報を電子機器の外部キーボード端子に出力して電子機器にキー入力動作を行わせる出力手段と、該出力手段によりキー入力動作が行われた基準の電子機器の画面表示の撮像を記憶する第２の記憶手段と、前記出力手段によりキー入力動作が行われた被検査の電子機器の画面表示の撮像と前記第２の記憶手段に記憶された基準の電子機器の画面表示との一致／不一致を判定してその結果を前記表示手段に表示させる制御手段を備えたことを特徴とする自動キー入力動作装置。
【請求項５】
前記電子機器は携帯電話装置であることを特徴とする請求項１乃至４に記載の自動キー入力動作装置。
【発明の詳細な説明】
【技術分野】
【０００１】
本発明は、外部キーボード端子を有する電子機器のキー入力動作を自動的に行わせる自動キー入力動作装置に関するものである。
【背景技術】
【０００２】
電子機器の検査や定期的な動作などを行う為に、決められたキー操作を繰り返すことがある。誤入力防止や作業性から、このキー操作は手動でなく、自動で行うほうが好ましい。そこで、携帯電話装置の検査の場合、コンピュータにより電磁ソレノイドを駆動することにより直接携帯電話装置のキーを押す方法が考えられ、現在市販されている（例えば、特許文献１参照）。
【特許文献１】特開２００１−２６８２０２号公報（第１頁）
【発明の開示】
【発明が解決しようとする課題】
【０００３】
しかしながら、直接電子機器のキーを押す方法は機構が必要となり、高額になったり、大型化やキーの破損を招く恐れがあった。
【課題を解決するための手段】
【０００４】
本発明はかかる点に鑑み、電子機器が有する外部キーボード端子に着眼してなされたもので、電子機器のキーの入力手順を記録する記録手段と、該記録手段により記録された入力手順を記憶する記憶手段と、該記憶手段に記憶される入力手段を電子機器の外部キーボード端子に出力して電子機器にキー入力動作を行わせる出力手段を備える。
【０００５】
これにより、電子機器のキーを押すことなく、電子機器のキー入力の動作を自動的に行うことができるという作用効果を有する。
【０００６】
また、その記録手段は、電子機器のキーを撮像するカメラと、該カメラの撮像キーを表示する表示手段と、該表示手段に表示されたキーに対応する表示領域を設定する領域設定手段と、前記領域のポインティングを検出するポインティング手段を備え、前記記憶手段は前記ポインティング手段が検出した領域に対応するキーの情報を記憶する。
【０００７】
これにより、簡単な構成で、容易にキーの入力手順を記録することができる。
【０００８】
また、キー入力動作に応じて画面表示が変化する電子機器のキーと画面表示を撮像するカメラと、該カメラが撮像した前記キー及び前記画面表示の像を表示する表示手段と、該表示手段に表示されたキーに対応する表示領域を設定する領域設定手段と、前記領域のポインティングを検出するポインティング手段と、前記ポインティング手段の検出した領域に対応するキーの情報を記憶する第１の記憶手段と、該第１の記憶手段に記憶されるキーの情報を電子機器の外部キーボード端子に出力して電子機器にキー入力動作を行わせる出力手段と、該出力手段によりキー入力動作が行われた基準の電子機器の画面表示の撮像を記憶する第２の記憶手段と、前記出力手段によりキー入力動作が行われた被検査の電子機器の画面表示の撮像と前記第２の記憶手段に記憶された基準の電子機器の画面表示とを前記表示手段に同時に表示させる制御手段を備える。
【０００９】
このように、キー入力動作が行われた後の画面表示の比較を簡単な構成で行うことができ、検査装置として有用である。
【００１０】
また、前記出力手段によりキー入力動作が行われた被検査の電子機器の画面表示の撮像と前記第２の記憶手段に記憶された基準の電子機器の画面表示との一致／不一致を判定してその結果を前記表示手段に表示させる制御手段を備える。
【００１１】
これにより、簡単な構成で自動的にキー入力動作の判定を行うことができる。
【発明の効果】
【００１２】
自動的にキー入力を行う方法として直接電子機器のキーを押す方法は機構が必要となり、高額になったり大型化やキーの破損を招く恐れがある。本願発明は、電子機器のキーを押すことなく、電子機器のキー入力の動作を自動的に行う。
【発明を実施するための最良の形態】
【００１３】
本発明の実施の形態を、携帯電話装置の検査装置を例に図面に基づき説明する。図１は検査装置の要部を示すブロック図である。（１）は各部を制御する制御回路であり、ＲＯＭ（２）に記憶されるプログラムにより動作する。（３）はＲＡＭであり、制御回路（２）の動作に必要な情報を記憶する。（４）は携帯電話装置（１０）の表示部（１０１）やキー部（１０２）を撮像するカメラである。（５）は表示部であり、カメラが撮像した表示部（１０１）やキー部（１０２）を表示する。（６）は入力部であり、キーボード（６１）とマウス（６２）を有する。また、制御回路（１）は携帯電話装置（１０）の外部キーボード用の１８ピンの端子（１０３）にキーコードを出力する。携帯電話装置（１０）は出力されたキーコードを内蔵のキーボードインターフェースを介して受信し、キー入力動作を行う。尚、このキー入力操作に応じて、携帯電話装置（１０）の表示部（１０１）の表示内容が変化する。
【００１４】
次に、検査の準備動作を説明する。基準となる携帯電話装置（１０）がカメラ（４）の位置に対して決められた位置に固定される。そして携帯電話装置（１０）のキー部（１０２）の撮像が図２の如く表示される。図２の斜線で示す如く、入力部（６）の操作により各キーに対応した領域を作成し、制御回路（１）は各々の領域に夫々のキーに対応させたキーコードを割り当てる。
【００１５】
マウス（６２）により領域がクリック（ポインティング）されることにより、表示部（５）上で一連のキー操作が行われる。マウス（６２）によりクリックされる前記領域の位置情報（あるいは、キーコード情報）と経時情報からなる一連のキー操作情報がＲＡＭ（３）にファイル名を付して記憶される。このファイルが自動キー入力動作の出力となる。
【００１６】
また、ＲＡＭ（３）に記憶された一連のキー操作情報が、携帯電話装置（１０）の外部キーボード用の端子（１０３）に入力され、入力後に表示された表示部（１０１）の撮像がＲＡＭ（３）にファイル名を付して記憶される。このファイルが基準の画面表示（図３の右側の画面表示を参照。）となる。
【００１７】
次に、検査の動作を説明する。検査の対象となる携帯電話装置（１０）は基準の携帯電話装置（１０）と同種である。この検査の対象となる携帯電話装置（１０）が基準の携帯電話装置（１０）と同じ位置に固定される。検査の対象となる携帯電話装置（１０）の外部キーボード用の端子（１０３）に制御回路（１）が接続され、ＲＡＭ（３）に記憶されている一連のキー入力情報が携帯電話装置（１０）に出力される。これにより、検査の対象となる携帯電話装置（１０）は一連のキー入力動作を行う。図３に示す如く、検査の対象となる携帯電話装置（１０）の一連のキー入力動作後の表示部（１０１）の撮像と、ＲＡＭに記憶されている基準の携帯電話装置（１０）の撮像を表示部（５）に表示する。これにより、使用者がキー入力動作結果を表示部（１０１）で視認することができる。また、制御回路（１）は両画像の一致／不一致を所定の閾値で判定して、その結果を表示部に表示する。
【００１８】
ほとんどの携帯電話装置が外部キーボード用端子を有しているために、上述の実施例の電子機器は携帯電話装置であったが、これに限定するものではなく、ＰＨＳ（Personal Handyphone System）や（ＰＤＡ（Personal Digital Assistance）やパーソナルコンピュータでもよい。
【産業上の利用可能性】
【００１９】
本願発明は、自動的に電子機器のキー操作を行う場合、例えば、携帯電話装置の検査を行う場合に有用な自動キー入力動作装置である。
【図面の簡単な説明】
【００２０】
【図１】本発明の要部を示すブロック図である。
【図２】撮像された携帯電話装置の表示と設定されたキー領域を示す図である。
【図３】検査時の携帯電話装置の表示確認画面を示す図である。
【符号の説明】
【００２１】
１  制御回路
３  ＲＡＭ
４  カメラ
５  表示部
６  入力部
１０  携帯電話装置
１０２  キー部
１０３  外部キーボード用の端子
【図１】
2005222145.tif 000003
【図２】
2005222145.tif 000004
【図３】
2005222145.tif 000005